(57)【特許請求の範囲】
【請求項１】
平面形状が矩形に形成された保形性を有する一対の底部材及び天井部材と、該底部材と天井部材の各々の周縁部の間を連結して箱体状の内空間を形成する壁面部材とから成る折りたたみ収納庫であって、前記壁面部材がテント生地等の可撓性材料からなるシートによって形成されるとともに、該壁面部材に、壁面部材を開放した状態で箱体状となり、壁面部材を折りたたんだ状態で前記底部材と天井部材の平面領域内に壁面部材が折りたたまれる案内用の折り目が形成されていて、
前記壁面部材のシートが２枚合わせにして形成されるとともに、前記シートには、案内用の折り目に沿ってファスナーが配設され、２枚合わせのシートの間に断熱材が収納可能であることを特徴とする折りたたみ収納庫。
【請求項２】
前記底部材と天井部材との間に、前記壁面部材を開放した状態で底部材と天井部材とを離間して支持する支持部材が装着されていることを特徴とする請求項１記載の折りたたみ収納庫。
【請求項３】
前記底部材に移動用のキャスターが取り付けられていることを特徴とする請求項１または２記載の折りたたみ収納庫。
【発明の詳細な説明】
【０００１】
【発明の属する技術分野】
本発明は折りたたみ収納庫に関し、より詳細にはテント生地等の可撓性材料を用いて収納空間を形成する折りたたみ収納庫に関する。
【０００２】
【従来の技術】
テント型の収納庫は各種物品を簡単に収納できる収納庫として、一般に多用されている。このテント型の収納庫は、金属パイプ等の支持体によってフレームを組み立て、組み立てたフレームにテント生地等によって形成したシートを被せて、内部に収納空間を形成したものである。フレームにシートを被せて収納庫とする方法は、組み立て及び撤去が容易にでき、適宜場所に簡単に設置することができるという利点がある。
このような収納庫は、さまざまな形態に構成することが可能であり、シートの内面に断熱材を貼り付けるといった方法で断熱性をもたせることにより、保冷用あるいは保温用の収納庫としても使用することができる。実際、断熱したテント型の収納庫は農産物等の冷蔵用収納庫として広く使用されている。
【０００３】
【発明が解決しようとする課題】
テント型の収納庫はフレームにシートを被せることによって簡単に組み立てることができ、取り扱いが容易であるという特徴がある。しかしながら、組み立てと撤去操作を繰り返して行うような場合には、従来のテント型の収納庫は必ずしも効率的ではない。テント型の収納庫ではフレームとシートとが別個になっているから、テントをたたんで収納する際にはフレームとシートとを対にしておかなければならないし、シートをたたむ場合もシートがかさばって折りたたみにくくなる。このため、テント型の収納庫を収納しておく場合も大きな収納面積が必要になるという問題があった。
【０００４】
本発明は、このようなテント型の収納庫の構成の改善に係るものであり、組み立てと折りたたみ操作をきわめて容易に行うことができる収納庫を提供することを目的とする。これによって、収納庫の組み立て、撤去作業をきわめて容易にするとともに、きわめてコンパクトに折りたたむことを可能にする。
【０００５】
【課題を解決するための手段】
上記目的を達成するため、本発明は次の構成を備える。すなわち、平面形状が矩形に形成された保形性を有する一対の底部材及び天井部材と、該底部材と天井部材の各々の周縁部の間を連結して箱体状の内空間を形成する壁面部材とから成る折りたたみ収納庫であって、前記壁面部材がテント生地等の可撓性材料からなるシートによって形成されるとともに、該壁面部材に、壁面部材を開放した状態で箱体状となり、壁面部材を折りたたんだ状態で前記底部材と天井部材の平面領域内に壁面部材が折りたたまれる案内用の折り目が形成されていて、前記壁面部材のシートが２枚合わせにして形成されるとともに、前記シートには、案内用の折り目に沿ってファスナーが配設され、２枚合わせのシートの間に断熱材が収納可能であることを特徴とする。壁面部材は開放位置から折りたたまれる際に、折り目位置で案内され、底部材と天井部材の平面領域内に挟み込まれるように折りたたまれる。壁面は２枚のシートにより構成されていて、シートの折り目に沿ってファスナーが配設されており、ファスナー部分から２枚のシート間に断熱材が収納可能となる。壁面部材を開放した状態で箱体状の内空間が形成されて、断熱条件下にある内部に物品が収納可能となる。折りたたんだ状態で、壁面部材は底部材と天井部材との間に挟まれ、底部材と天井部材の平面領域内から壁面部材がはみ出さないことから、きわめてコンパクトにたたまれる。
【０００６】
前記底部材と天井部材との間に、前記壁面部材を開放した状態で底部材と天井部材とを離間して支持する支持部材が装着されて、箱体状の内空間が確保される。また、前記底部材に移動用のキャスターが取り付けられていることにより、移動用収納庫として好適に使用できる。
【０００７】
【発明の実施の形態】
以下、本発明の好適な実施形態を添付図面に基づいて詳細に説明する。
図１〜３は、本発明に係る折りたたみ収納庫の一実施形態の斜視図である。図１は折りたたみ収納庫を組み立てた状態、図２は中間状態まで折りたたんだ状態、図３は収納庫を完全に折りたたんだ状態である。
本実施形態の折りたたみ収納庫は、平面形状で同一の矩形状に形成した底部材である底板１０及び天井部材である天板１２と、底板１０と天板１２の各々の周縁部に両端縁を接合した壁面部材であるシート１４とから成る。
【０００８】
収納庫を組み立てた状態では、図１に示すように、底板１０と天板１２とは平行に配置され、シート１４は底板１０と天板１２の周縁に沿って一周するように取り付けられる。すなわち、底板１０と天板１２とシート１４とによって囲まれた内側の領域が物品を収納する収納空間となる。シート１４は底板１０と天板１２の周縁に沿って密着して取り付けられているから収納庫の収納空間は完全に密封された空間となる。
【０００９】
底板１０及び天板１２は収納庫の収納空間の底面と天井面とを形成するとともに、可撓性を有するシート１４を支持して収納空間の壁面を構成する作用を有する。したがって、底板１０及び天板１２には一定の保形性を有する素材、たとえば、木製の板体、合成樹脂板等によって形成する。収納庫が密閉性を要しない場合には、底部材と天井部材は板体状に形成するかわりに、金属パイプ等の剛性の高い材料を用いて枠体状に形成することもできる。
【００１０】
図１に示す実施形態で、収納庫を組み立てた状態では、シート１４は底板１０と天板１２の周縁部を囲むように配置されるが、収納庫を折りたたむ際には、図２、３に示すように、底板１０と天板１２との間に挟み込まれるようにシート１４が折りたたまれる。本発明に係る収納庫で特徴的な構成は、収納庫を折りたたむ際に、シート１４が底板１０と天板１２との間に挟み込まれるように折りたたまれることである。とくに、本実施形態ではシート１４を折りたたんだ際に、シート１４が底板１０と天板１２の周縁部から外側にはみ出さず、底板１０と天板１２の平面領域内に挟み込まれるように折りたたまれることが特徴的である。
【００１１】
このようにシート１４が底板１０と天板１２との間に折りたたまれるようにするため、本実施形態では、シート１４にあらかじめ折り目を設けておき、折り目に沿ってシート１４が折りたたまれるようにした。図１で１６ａは底板１０と天板１２の長辺に沿って形成した折り目である。この折り目１６ａは底板１０と天板１２の長辺に平行にシート１４を二つ折りするため天地方向の中央位置で長手方向の全長に直線的に設けている。
底板１０と天板１２の短辺側のシート１４については、端面方向から見て中心の内側にシート１４を折りたたむため、側面の折り目１６ａに続いて形成する左右の山折りとなる２つの折り目１６ｂ、１６ｂと、対角線方向に形成される谷折りとなる４つの折り目１６ｃと、コーナー部で山折りとなる４つの折り目１６ｄが形成されている。
【００１２】
図１に示すシート１４を広げた状態から、天板１２を降下させはじめると、これらの折り目１６ａ、１６ｂ、１６ｃ、１６ｄに沿って、シート１４が折りたたまれていく。図２では、底板１０と天板１２の側面部分で、シート１４が内側に折り込まれ始めるとともに、底板１０と天板１２の端面部分ではシート１４の中心が内側に引き込まれるようにたたまれる。図２では対角線方向の折り目１６ｃは内側に折り込まれて見えていない。
図３はシート１４が完全に折りたたまれた状態である。底板１０と天板１２の側面部分のシート１４は幅方向に折りたたまれ、底板１０と天板１２の端面部分ではコーナー部の折り目１６ｄが底板１０と天板１２の端縁に沿って配置されている。
【００１３】
図３では、底板１０と天板１２の側面方向について、シート１４が底板１０と天板１２の幅方向に略二分した位置まで折り込まれていることを２点鎖線で示している。底板１０と天板１２の側面方向でシート１４を二つ折りして内側に折り込んだ場合、シート１４が重なり合わないように折り込むためには、シート１４の高さ寸法（底板１０と天板１２との離間距離）を底板１０と天板１２との幅寸法よりも小さく設定しておけばよい。シート１４を底板１０と天板１２の内側に確実に折り込むためにはシート１４が重なり合わないように折りたたむのがよい。したがって、確実に折りたためる条件で、収納庫の内空間をもっとも大きくするには、シート１４の高さ寸法を底板１０と天板１２の幅寸法と略同一にすればよいことになる。
底板１０と天板１２の端面部分のシート１４についても、この寸法条件に設定することによって確実に折り込むことができる。底板１０と天板１２の端面部分については、最終的に三角形状に折りたたまれる。
【００１４】
このように、シート１４を所定の折り目１６ａ、１６ｂ、１６ｃ、１６ｄに沿って折りたたむことにより、シート１４は底板１０と天板１２の平面領域内からはみ出すことなく、底板１０と天板１２の全領域を利用して折りたたまれる。この折りたたみ方法は、あらかじめシート１４に折り目１６ａ、１６ｂ、１６ｃ、１６ｄを形成しておくことによって、シート１４が自然に折り目１６ａ、１６ｂ、１６ｃ、１６ｄに導かれて折りたたまれるようにする方法である。したがって、シート１４に確実に折り目１６ａ、１６ｂ、１６ｃ、１６ｄを設けておけば、天板１２を持ち上げ、また、、降下させる操作のみで、自然に箱体状の内空間を形成し、また、薄い板体状に閉じることができる。
【００１５】
シート１４に折り目１６ａ、１６ｂ、１６ｃ、１６ｄを形成する方法としては、折り目１６ａ、１６ｂ、１６ｃ、１６ｄに合わせてシート１４の縫い目を形成しておき、縫い目に沿ってシート１４の折り方向が案内されるようにする方法が有効である。
図４は収納庫を開いた状態で、底板１０と天板１２の端面方向から収納庫を見た状態を示す。シート１４の左右方向と対角線方向に折り目１６ａ、１６ｂ、１６ｃ、１６ｄが形成されている。
【００１６】
上記シート１４はテント生地等の一枚もので形成してももちろんかまわないが、断熱収納庫として使用する場合には、シート１４を２枚合わせに形成し、２枚のシート１４の間に断熱材を収納するようにする。断熱材をシート１４の間に収納したまま、シート１４を折りたたむことは難しいから、断熱材は収納庫を広げた状態でシート１４の間に装着する。
２重に形成したシート１４の間に断熱材を収納する場合も、シート１４が所定の折り目の位置で折りたたまれるようにするため、前述した折り目１６ａ、１６ｂ、１６ｃ、１６ｄと同様な折り目を形成しておく。ファスナー１８の取り付け位置としては、折り目に沿って設ける方法と、シート面の適宜箇所に設ける方法がある。折り目に沿って設けた場合はシート１４が折りたたみやすくなるという利点がある。ファスナー１８は２枚のシート１４の間に断熱材を収納するためのものであるから、一般的には断熱材を収納しやすい箇所に配置すればよい。
【００１７】
図５は収納庫を広げて断熱材２０を装着した状態を示す。ファスナー１８がシート１４に形成されている様子を示す。収納庫の端面では折り目１６ｂ、１６ｃ、１６ｄに沿ってシート１４が三角形状に区分されているから、これらの各区分ごとファスナー１８を開いて断熱材２０を挿入するようにして装着する。収納庫の側面部分でも、折り目１６ａに沿ってファスナー１８を設けるか、適宜箇所にファスナー１８を配置して２枚のシート１４の間に断熱材を挿入する。このように、シート１４の間に断熱材２０を収納することによって、保冷用、保温用の収納庫として好適に使用することができる。冷蔵用とする場合は、可搬式の冷凍ユニットを収納庫に連結して冷蔵するようにすればよい。なお、断熱収納庫とする場合は、底板１０および天板１２についても、内面に断熱材を貼着して、収納庫全体を断熱した構成とするのがよい。
【００１８】
断熱材２０を装着した収納庫を折りたたむ場合は、あらかじめ断熱材２０を取り出した後、シート１４を折りたたむようにする。断熱材２０は収納庫とは別に保管しておくことによって随時使用することが可能であるし、収納庫はシート１４を折りたたむことによって図３に示すように、コンパクトに折りたたんで収納することが可能である。
【００１９】
本発明に係る折りたたみ収納庫は、収納庫の側面をシート１４によって形成し、シート１４を折りたたみ可能に形成したことを特徴とする。このような折りたたみ方式による収納庫は、収納庫を組み立てる操作も、収納庫を折りたたむ操作もきわめて簡単にできるという利点がある。なお、収納庫を組み立てた際には、支持部材を用いて底板１０と天板１２とを離間して支持するようにする。図１に示す実施形態では底板１０と天板１２の間に支持部材として支持棒２２を取り付けて天板１２を支持するようにした。本実施形態では、底板１０と天板１２の縁部に係止突起２４を形成し、係止突起２４に支持棒２２を係止している。係止突起２４は側面が開放するＵ字形に形成し、支持棒２２が係止突起２４の側方から装着できるようになっている。
【００２０】
このように、支持部材により底板１０と天板１２とを支持して組み立てた収納庫は、図６に示すように、複数段に積み重ねておくことができる。収納庫の大きさは適宜選択でき、とくに大きさは限定されないが、本実施形態では、底板１０及び天板１２として、短辺の長さ１．８ｍ、長辺の長さ３．６ｍとし、収納庫の高さ（シート１４の高さ）を約１．８ｍとしている。収納庫を積み重ねて配置すれば、個々の収納庫の内容積がさほど大きくない場合でも、大きな収納能力を得ることができる。また、収納庫を積み重ねることにより、効率的に収納庫を配置することができる。フォークリフトを使用して収納庫を積み重ねる場合には、各段ごとスペーサを入れて積み重ねるようにしてもよい。このように、本実施形態の収納庫は一般に使用されているコンテナと同様な使い方が可能である。
【００２１】
上述したシート１４を用いて折りたたみ可能に収納庫を形成する方法は、シート１４の素材として、防水素材、防炎素材を使用するといった種々の選択が可能である。
図７は、収納庫の他の実施形態として、収納庫の側面を網状部材２８によって形成した例である。網状部材２８に上記実施形態と同様な折り目１６ａ、１６ｂ、１６ｃ、１６ｄを設けておき、折り目１６ａ、１６ｂ、１６ｃ、１６ｄに沿って網状部材２８を折り込むことにより、上記実施形態と同様に底板１０と天板１２の平面領域内に網状部材２８を折りたたむことができる。収納庫に収納する物品によっては通気性が必要な場合がある。このような場合には、シート１４のかわりに網状部材２８を使用して収納庫を形成することが有効である。
【００２２】
また、図７に示すように、天板１２に開口部１２ａを形成し、天井側から物品を出し入れするように形成することも可能である。天板１２に開口部１２ａを形成する方法は、図１に示すシート１４を用いた収納庫の場合も同様に適用できる。収納庫を密閉する場合は、物品を収納した後、蓋体により開口部１２ａを密閉すればよい。図１では物品の出し入れ用に収納庫の側面のシート１４に開閉部３０を設けた。この場合は、シート１４にファスナーを取り付けて、開閉部３０とすることができる。
【００２３】
図７では、底板１０にキャスター３２を取り付け、収納庫を移動可能とした。このように、収納庫を移動可能に形成すると、本実施形態の収納庫が組み立てと折りたたみが簡単にできることから、物品の積み降ろし作業を適宜場所で行う際にきわめて有効に利用することが可能である。たとえば、青果市場などでは、大量の商品を扱っており、大きな収納場所が必要であるとともに、適宜場所に物品を移動させるといった作業がしばしば生じる。本実施形態の収納庫であれば、物品を収納した状態で適宜場所まで移動させることが容易にでき、移動した場所で物品を降ろした後は、収納庫を折りたたんで簡単に収納することが可能である。品物によっては保冷したり保温したりする必要があることがあり、そのような場合には、断熱収納庫を使用することによって保冷あるいは保温した状態で物品を収納しておくことができる。
【００２４】
図６に示すように、物品を収納しておく際には、収納庫を積み重ねておくことが可能であるから、大量の商品であっても収納庫を用いて効率的に収納することができる。このように収納庫に物品を収納する方法は、商品に合った収納庫を選んで収納できるという利点もある。商品によっては、保存条件がいろいろであるから、これらに適した条件を設定するには、一定の容積に限った収納庫を用意した方が有効だからである。もちろん、収納庫として種々の容積の製品をとり揃えておき、適宜容積の収納庫を使用することも可能である。
【００２５】
図７では底板１０と天板１２とを支持する支持部材として、２つ折り形式のストッパアーム３４を使用した例を示す。このストッパアーム３４は２つ折り状態から一本棒状にすることにより、底板１０と天板１２との間を突っ張るように支持して、収納庫が開いた状態を保持するものである。ストッパアーム３４は底板１０と天板１２の縁部に設けた上下の係止突起２４の間に装着する。ストッパアーム３４により底板１０と天板１２とを支持した状態を安定させるため、ストッパアーム３４が開いた状態をロックするロック機構を設けるようにしてもよい。このように、底板１０と天板１２とを支持する支持機構には種々の構成が採用できる。
【００２６】
【発明の効果】
本発明に係る折りたたみ収納庫は、上述したように、収納庫の側面をテント生地等の可撓性を有する壁面部材によって形成し、壁面部材に折り目を形成して、壁面部材が底部材と天井部材の平面領域内に折りたためるように形成したことによって、収納庫の組み立て及び折りたたみ操作がきわめて容易になるとともに、折りたたみ状態で収納庫がきわめてコンパクトに形成されるようになる。これによって、組み立て、折りたたみが容易に行える収納庫として種々の用途に使用することが可能になる等の著効を奏する。
【図面の簡単な説明】
【図１】折りたたみ収納庫の実施形態を示す斜視図である。
【図２】折りたたみ収納庫を中間位置まで折りたたんだ状態の斜視図である。
【図３】折りたたみ収納庫を最終位置まで折りたたんだ状態の斜視図である。
【図４】折りたたみ収納庫を端面方向から見た図である。
【図５】断熱材を装着した折りたたみ収納庫を示す説明図である。
【図６】折りたたみ収納庫を積み重ねた状態を示す説明図である。
【図７】折りたたみ収納庫の他の実施形態を示す斜視図である。
【符号の説明】
１０  底板
１２  天板
１２ａ  開口部
１４  シート
１６ａ、１６ｂ、１６ｃ、１６ｄ  折り目
１８  ファスナー
２０  断熱材
２２  支持棒
２４  係止突起
２８  網状部材
３０  開閉部
３２  キャスター
３４  ストッパアーム
【図１】
0004104794.tif 000002
【図２】
0004104794.tif 000003
【図３】
0004104794.tif 000004
【図４】
0004104794.tif 000005
【図５】
0004104794.tif 000006
【図６】
0004104794.tif 000007
【図７】
0004104794.tif 000008